(57)【要約】【課題】被管理者の行き先を管理する行き先情報管理装置、行き先情報管理システム、行き先情報管理方法、及びプログラムにおいて、被管理者の居場所に依らず、また、被管理者が行き先の設定をしなかった場合でも、被管理者の行き先を把握できるようにするとともに、被管理者の精神的負荷を緩和する。【解決手段】本発明に係る行き先情報管理装置は、被管理者の第１の端末から入力された行き先情報を記録する行き先情報設定部と、行き先情報記憶部に記憶されている行き先情報を所定時間ごとに更新する行き先情報更新部と、閲覧者の第２の端末に行き先情報を表示させるための表示情報を生成する表示情報生成部と、を備え、表示情報生成部は、行き先情報が記憶されている場合には、当該行き先情報を被管理者の行き先として表示情報を生成し、行き先情報が記憶されていない場合には、外部機器から取得した位置情報を被管理者の行き先として表示情報を生成する。【選択図】図１
2009140006.tif 000002
【特許請求の範囲】
【請求項１】
自己の居場所が管理される被管理者の行き先を示す行き先情報を管理する行き先情報管理装置であって、
前記行き先情報が記憶される行き先情報記憶部と、
前記被管理者が利用する第１の端末からネットワークを介して取得した前記行き先情報を、当該被管理者の識別情報と対応付けて前記行き先情報記憶部に記録する行き先情報設定部と、
前記行き先情報記憶部に記憶されている前記行き先情報を所定時間ごとに更新する行き先情報更新部と、
前記行き先情報管理装置にネットワークを介して接続可能な第２の端末に前記行き先情報を表示させるための表示情報を生成する表示情報生成部と、
を備え、
前記表示情報生成部は、
前記行き先情報が前記行き先情報記憶部に記憶されているか否かを前記被管理者ごとに確認し、
前記確認時における前記行き先情報が記憶されている場合には、当該行き先情報を前記被管理者の行き先として前記表示情報を生成し、
前記確認時における前記行き先情報が記憶されていない場合には、前記確認時における前記第１の端末の位置情報を前記行き先情報管理装置にネットワークを介して接続可能な外部機器から取得し、当該位置情報を前記被管理者の行き先として前記表示情報を生成することを特徴とする、行き先情報管理装置。
【請求項２】
前記行き先情報設定部は、
前記第１の端末からネットワークを介して前記行き先情報を取得する行き先情報取得部と、
取得された前記行き先情報の内容を確認する入力情報内容確認部と、
前記入力情報内容確認部の確認結果に基づいて、取得された前記行き先情報を前記被管理者の識別情報と対応付けて前記行き先情報記憶部に記録する行き先情報記録部と、
を有することを特徴とする、請求項１に記載の行き先情報管理装置。
【請求項３】
前記入力情報内容確認部は、取得された前記行き先情報の内容が前記被管理者の休暇に関するものであるか否かを確認することを特徴とする、請求項２に記載の行き先情報管理装置。
【請求項４】
前記行き先情報記憶部には、現在時刻情報も記憶されており、
前記行き先情報更新部は、
所定時間ごとに、前記行き先情報記憶部に記憶された現在時刻情報を更新する現在時刻更新部と、
更新された前記現在時刻情報に基づいて、前記行き先情報を更新する行き先更新部と、
を有することを特徴とする、請求項１に記載の行き先情報管理装置。
【請求項５】
前記行き先更新部は、現在時刻より前の過去の前記行き先情報を前記行き先情報記憶部から削除することを特徴とする、請求項４に記載の行き先情報管理装置。
【請求項６】
前記行き先情報記録部は、前記被管理者の識別情報に加えて、前記行き先情報が示す行き先に前記第１の端末が存在している時間を示す実行時間情報に対応付けて前記行き先情報を記録することを特徴とする、請求項１に記載の行き先情報管理装置。
【請求項７】
前記行き先情報記憶部には、現在時刻情報も記憶されており、
前記表示情報生成部は、
前記現在時刻情報と前記実行時間情報とに基づいて、現在時刻において前記行き先情報が前記行き先情報記憶部に記憶されているか否かを判定する記憶状況判定部と、
前記記憶状況判定部の判定結果に応じて、前記行き先情報記憶部から前記行き先情報を取得する行き先情報取得部と、
前記記憶状況判定部の判定結果に応じて、前記外部機器から前記位置情報を取得する位置情報取得部と、
前記行き先情報取得部が取得した前記行き先情報、又は、前記位置情報取得部が取得した前記位置情報に基づいて、前記表示情報に含める前記被管理者の行き先情報を設定する行き先設定部と、
を有することを特徴とする、請求項６に記載の行き先情報管理装置。
【請求項８】
自己の居場所が管理される被管理者の行き先を示す行き先情報を管理する行き先情報管理装置と、前記被管理者の前記行き先情報が入力される第１の端末と、前記行き先情報を閲覧可能な第２の端末と、前記第１の端末の位置情報を提供する位置情報提供装置と、がネットワークを介して接続された行き先情報管理システムであって、
前記行き先情報管理装置は、
前記行き先情報が記憶される行き先情報記憶部と、
前記第１の端末から取得した前記行き先情報を、当該被管理者の識別情報と対応付けて前記行き先情報記憶部に記録する行き先情報設定部と、
前記行き先情報記憶部に記憶されている前記行き先情報を所定時間ごとに更新する行き先情報更新部と、
前記第２の端末に前記行き先情報を表示させるための表示情報を生成する表示情報生成部と、
を備え、
前記表示情報生成部は、
前記行き先情報が前記行き先情報記憶部に記憶されているか否かを前記被管理者ごとに確認し、
前記確認時における前記行き先情報が記憶されている場合には、当該行き先情報を前記被管理者の行き先として前記表示情報を生成し、
前記確認時における前記行き先情報が記憶されていない場合には、前記確認時における前記第１の端末の位置情報を前記位置情報提供装置から取得し、当該位置情報を前記被管理者の行き先として前記表示情報を生成することを特徴とする、行き先情報管理システム。
【請求項９】
自己の居場所が管理される被管理者の行き先を示す行き先情報を管理する行き先情報管理方法であって、
前記被管理者が利用する第１の端末からネットワークを介して取得した前記行き先情報を、当該被管理者の識別情報と対応付けて記録する行き先情報設定ステップと、
記録された前記行き先情報を所定時間ごとに更新する行き先情報更新ステップと、
前記行き先情報管理装置にネットワークを介して接続可能な第２の端末に前記行き先情報を表示させるための表示情報を生成する表示情報生成ステップと、
を含み、
前記表示情報生成ステップでは、
前記行き先情報が前記行き先情報記憶部に記憶されているか否かを前記被管理者ごとに確認し、
前記確認時における前記行き先情報が記憶されている場合には、当該行き先情報を前記被管理者の行き先として前記表示情報を生成し、
前記確認時における前記行き先情報が記憶されていない場合には、前記確認時における前記第１の端末の位置情報を前記行き先情報管理装置にネットワークを介して接続可能な外部機器から取得し、当該位置情報を前記被管理者の行き先として前記表示情報を生成することを特徴とする、行き先情報管理方法。
【請求項１０】
コンピュータを、自己の居場所が管理される被管理者の行き先を示す行き先情報を管理する行き先情報管理装置として機能させるためのプログラムであって、
前記被管理者が利用する第１の端末からネットワークを介して取得した前記行き先情報を、当該被管理者の識別情報と対応付けて記録する行き先情報設定ステップと、
記録された前記行き先情報を所定時間ごとに更新する行き先情報更新ステップと、
前記行き先情報管理装置にネットワークを介して接続可能な第２の端末に前記行き先情報を表示させるための表示情報を生成する表示情報生成ステップと、
を含み、
前記表示情報生成ステップでは、
前記行き先情報が前記行き先情報記憶部に記憶されているか否かを前記被管理者ごとに確認し、
前記確認時における前記行き先情報が記憶されている場合には、当該行き先情報を前記被管理者の行き先として前記表示情報を生成し、
前記確認時における前記行き先情報が記憶されていない場合には、前記確認時における前記第１の端末の位置情報を前記行き先情報管理装置にネットワークを介して接続可能な外部機器から取得し、当該位置情報を前記被管理者の行き先として前記表示情報を生成することを特徴とする、プログラム。
【発明の詳細な説明】
【技術分野】
【０００１】
本発明は、行き先情報管理装置、行き先情報管理システム、行き先情報管理方法、及び、プログラムに関する。
【背景技術】
【０００２】
企業の管理者が社員（被管理者）の行き先を管理する方法として、社員自身が行き先を物理的に記入もしくは電子的媒体に記入することは一般的に広く行われている。この方法は、社員自身が行き先を記入することが前提となっており、例えば、出張の多い社員や予定が急に変更になった場合、あるいは行き先の記入を怠った場合などは、社員の行き先の把握が困難となる。そこで、近年では、社員が所持している携帯端末やＩＣタグ内臓の端末などから発せられる電波を利用して端末の位置情報を収集するとともに、端末のＩＤから社員を特定し、スケジュール管理システムと連動して社員の行き先をリアルタイムに更新して表示する行き先表示システムが提案されている。
【０００３】
このような行き先表示システムとして、例えば特許文献１には、社員証に埋め込んだＩＣタグの情報を、建物内に設置されたセンサが読み取り、行き先表示板の情報と照合して、不一致がある場合に、本人の所持している携帯端末または職場の掲示板に表示する方法が記載されている。また、特許文献２には、無線ＬＡＮやＢｌｕｅｔｏｏｔｈ（登録商標）などの無線モジュールを内蔵した携帯端末から、建物内に設置されたアクセスポイントが端末情報を収集し、端末情報から個人を特定して対応するスケジュール表にアクセスポイントの設置場所から判明する行き先を記入する方法が記載されている。さらに、特許文献３には、外出先から携帯端末などを利用して社内の行き先管理システムにアクセスして行き先情報を更新する際、携帯端末の位置情報や過去の履歴などから行き先の入力をメニュー化し、スケジュール管理表への記入を簡素化する方法が記載されている。
【０００４】
【特許文献１】特開２００５−８５２１８号公報
【特許文献２】特開２００６−４００７７号公報
【特許文献３】特開２００６−５４５８９号公報
【発明の開示】
【発明が解決しようとする課題】
【０００５】
しかしながら、上記特許文献１及び特許文献２に記載された技術は共に、建物内に設置されたアクセスポイントやタグリーダによって、被管理者の端末ＩＤを収集することが前提であり、行き先が表示できるのは、被管理者がアクセスポイントやタグリーダが設置された特定の建物内（例えば、企業の社内の建物内）にいる場合に限られる、という問題があった。このため、例えば、被管理者が社外の建物内や建物の外にいる場合には、被管理者の行き先を把握することができない。
【０００６】
また、特許文献２及び特許文献３の技術では、あらかじめ被管理者本人が書き込んだ行き先情報を位置情報が上書きする方式を採用しているため、常に居場所を把握されているという精神的負荷を被管理者にかけることになる、という問題もあった。
【０００７】
さらに、特許文献１及び特許文献３の技術は、被管理者本人が行き先の変更を自ら実施することを前提としているため、本人が行き先の設定を忘れた場合などは、外出先から行き先情報の変更を行うことができず、被管理者の行き先を把握することができない、という問題もあった。
【０００８】
そこで、本発明は、このような問題に鑑みてなされたものであって、被管理者の行き先を管理する行き先情報管理装置、行き先情報管理システム、行き先情報管理方法、及び、プログラムにおいて、被管理者の居場所に依らず、また、被管理者が行き先の設定をしなかった場合であっても、被管理者の行き先を把握できるようにするとともに、被管理者の精神的負荷を緩和することを目的とする。
【課題を解決するための手段】
【０００９】
上記課題を解決するために、本発明のある観点によれば、自己の居場所が管理される被管理者の行き先を示す行き先情報を管理する行き先情報管理装置であって、前記行き先情報が記憶される行き先情報記憶部と、前記被管理者が利用する第１の端末からネットワークを介して取得した前記行き先情報を、当該被管理者の識別情報と対応付けて前記行き先情報記憶部に記録する行き先情報設定部と、前記行き先情報記憶部に記憶されている前記行き先情報を所定時間ごとに更新する行き先情報更新部と、前記行き先情報管理装置にネットワークを介して接続可能な第２の端末に前記行き先情報を表示させるための表示情報を生成する表示情報生成部と、を備え、前記表示情報生成部は、前記行き先情報が前記行き先情報記憶部に記憶されているか否かを前記被管理者ごとに確認し、前記確認時における前記行き先情報が記憶されている場合には、当該行き先情報を前記被管理者の行き先として前記表示情報を生成し、前記確認時における前記行き先情報が記憶されていない場合には、前記確認時における前記第１の端末の位置情報を前記行き先情報管理装置にネットワークを介して接続可能な外部機器から取得し、当該位置情報を前記被管理者の行き先として前記表示情報を生成する行き先情報管理装置が提供される。
【００１０】
ここで、前記行き先情報設定部は、前記第１の端末からネットワークを介して前記行き先情報を取得する行き先情報取得部と、取得された前記行き先情報の内容を確認する入力情報内容確認部と、前記入力情報内容確認部の確認結果に基づいて、取得された前記行き先情報を前記被管理者の識別情報と対応付けて前記行き先情報記憶部に記録する行き先情報記録部と、を有していてもよい。
【００１１】
この場合に、前記入力情報内容確認部は、取得された前記行き先情報の内容が前記被管理者の休暇に関するものであるか否かを確認してもよい。
【００１２】
また、前記行き先情報記憶部には、現在時刻情報も記憶されており、前記行き先情報更新部は、所定時間ごとに、前記行き先情報記憶部に記憶された現在時刻情報を更新する現在時刻更新部と、更新された前記現在時刻情報に基づいて、前記行き先情報を更新する行き先更新部と、を有していてもよい。
【００１３】
この場合に、前記行き先更新部は、現在時刻より前の過去の前記行き先情報を前記行き先情報記憶部から削除するようにしてもよい。
【００１４】
また、前記行き先情報記録部は、前記被管理者の識別情報に加えて、前記行き先情報が示す行き先に前記第１の端末が存在している時間を示す実行時間情報に対応付けて前記行き先情報を記録してもよい。
【００１５】
この場合に、前記行き先情報記憶部には、現在時刻情報も記憶されており、前記表示情報生成部は、前記現在時刻情報と前記実行時間情報とに基づいて、現在時刻において前記行き先情報が前記行き先情報記憶部に記憶されているか否かを判定する記憶状況判定部と、前記記憶状況判定部の判定結果に応じて、前記行き先情報記憶部から前記行き先情報を取得する行き先情報取得部と、前記記憶状況判定部の判定結果に応じて、前記外部機器から前記位置情報を取得する位置情報取得部と、前記行き先情報取得部が取得した前記行き先情報、又は、前記位置情報取得部が取得した前記位置情報に基づいて、前記表示情報に含める前記被管理者の行き先情報を設定する行き先設定部と、を有していてもよい。
【００１６】
上記課題を解決するために、本発明の他の観点によれば、自己の居場所が管理される被管理者の行き先を示す行き先情報を管理する行き先情報管理装置と、前記被管理者の前記行き先情報が入力される第１の端末と、前記行き先情報を閲覧可能な第２の端末と、前記第１の端末の位置情報を提供する位置情報提供装置と、がネットワークを介して接続された行き先情報管理システムであって、前記行き先情報管理装置は、前記行き先情報が記憶される行き先情報記憶部と、前記第１の端末から取得した前記行き先情報を、当該被管理者の識別情報と対応付けて前記行き先情報記憶部に記録する行き先情報設定部と、前記行き先情報記憶部に記憶されている前記行き先情報を所定時間ごとに更新する行き先情報更新部と、前記第２の端末に前記行き先情報を表示させるための表示情報を生成する表示情報生成部と、を備え、前記表示情報生成部は、前記行き先情報が前記行き先情報記憶部に記憶されているか否かを前記被管理者ごとに確認し、前記確認時における前記行き先情報が記憶されている場合には、当該行き先情報を前記被管理者の行き先として前記表示情報を生成し、前記確認時における前記行き先情報が記憶されていない場合には、前記確認時における前記第１の端末の位置情報を前記位置情報提供装置から取得し、当該位置情報を前記被管理者の行き先として前記表示情報を生成する行き先情報管理システムが提供される。
【００１７】
上記課題を解決するために、本発明のさらに他の観点によれば、自己の居場所が管理される被管理者の行き先を示す行き先情報を管理する行き先情報管理方法であって、前記被管理者が利用する第１の端末からネットワークを介して取得した前記行き先情報を、当該被管理者の識別情報と対応付けて記録する行き先情報設定ステップと、記録された前記行き先情報を所定時間ごとに更新する行き先情報更新ステップと、前記行き先情報管理装置にネットワークを介して接続可能な第２の端末に前記行き先情報を表示させるための表示情報を生成する表示情報生成ステップと、を含み、前記表示情報生成ステップでは、前記行き先情報が前記行き先情報記憶部に記憶されているか否かを前記被管理者ごとに確認し、前記確認時における前記行き先情報が記憶されている場合には、当該行き先情報を前記被管理者の行き先として前記表示情報を生成し、前記確認時における前記行き先情報が記憶されていない場合には、前記確認時における前記第１の端末の位置情報を前記行き先情報管理装置にネットワークを介して接続可能な外部機器から取得し、当該位置情報を前記被管理者の行き先として前記表示情報を生成する行き先情報管理方法が提供される。
【００１８】
上記課題を解決するために、本発明のさらに他の観点によれば、コンピュータを、自己の居場所が管理される被管理者の行き先を示す行き先情報を管理する行き先情報管理装置として機能させるためのプログラムであって、前記被管理者が利用する第１の端末からネットワークを介して取得した前記行き先情報を、当該被管理者の識別情報と対応付けて記録する行き先情報設定ステップと、記録された前記行き先情報を所定時間ごとに更新する行き先情報更新ステップと、前記行き先情報管理装置にネットワークを介して接続可能な第２の端末に前記行き先情報を表示させるための表示情報を生成する表示情報生成ステップと、を含み、前記表示情報生成ステップでは、前記行き先情報が前記行き先情報記憶部に記憶されているか否かを前記被管理者ごとに確認し、前記確認時における前記行き先情報が記憶されている場合には、当該行き先情報を前記被管理者の行き先として前記表示情報を生成し、前記確認時における前記行き先情報が記憶されていない場合には、前記確認時における前記第１の端末の位置情報を前記行き先情報管理装置にネットワークを介して接続可能な外部機器から取得し、当該位置情報を前記被管理者の行き先として前記表示情報を生成するプログラムが提供される。
【００１９】
以上のような本発明に係る行き先情報管理装置、行き先情報管理システム、行き先情報管理方法、及び、プログラムによれば、被管理者の居場所に関わらず行き先を把握することが可能である。また、本発明によれば、行き先の設定を被管理者本人が実施できなかった、あるいは、しなかった場合であっても、被管理者が所持する携帯端末の位置情報を行き先表示情報として自動的に設定することにより、被管理者の凡その居場所を知ることができる。さらに、本発明では、行き先の表示については、被管理者本人の入力情報を最優先に表示する方式を採用しているが、これは、常に居場所を知られているという被管理者の精神的負荷を緩和できるとともに、被管理者本人が行き先情報の入力を積極的に実行する動機ともなり得る。
【発明の効果】
【００２０】
本発明によれば、被管理者の行き先を管理する行き先情報管理装置、行き先情報管理システム、行き先情報管理方法、及び、プログラムにおいて、被管理者の居場所に依らず、また、被管理者が行き先の設定をしなかった場合であっても、被管理者の行き先を把握するとともに、被管理者の精神的負荷を緩和することが可能となる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
（行き先情報管理システム１０の構成について）
まず、図１を参照しながら、本発明の一実施形態に係る行き先情報管理システム１の構成について説明する。なお、図１は、本実施形態に係る行き先情報管理システム１の構成を示す説明図である。
【００２３】
行き先情報管理システム１は、企業の社員等の自己の行き先が管理される被管理者の行き先、スケジュール、居場所等を管理して、電子的に閲覧可能とするシステムであり、被管理者の居場所に関わらず（例えば、社員が社内あるいは社外であっても）、その行き先や居場所を表示することが可能なシステムである。以下、このような行き先情報管理システム１０の構成について説明する。
【００２４】
図１に示すように、行き先情報管理システム１においては、例えば、行き先情報管理装置１００と、プレゼンスサーバ１３と、位置情報サーバ２３と、固定端末５１と、携帯端末５３と、携帯端末５５と、が社内網１１、インターネット２１、携帯電話網３１等のネットワークを介して接続されている。
【００２５】
行き先情報管理装置１００は、自己の居場所が管理される被管理者の行き先を示す行き先情報を管理する装置である。この行き先情報管理装置１００は、社内網１１やアクセスポイント１５を介して、プレゼンスサーバ１３、固定端末５１及び携帯端末５３と接続可能となっており、これら行き先情報管理装置１００、アクセスポイント１５、プレゼンスサーバ１３、固定端末５１及び携帯端末５３により社内ＬＡＮ１０が形成されている。従って、行き先情報管理装置１００は、被管理者（社員）が社内にいるとき、すなわち、被管理者が利用する携帯端末５３が社内にある場合に、プレゼンスサーバ１３から携帯端末５３の社内における位置情報（以下、「プレゼンス情報」という。）を取得して、被管理者の居場所を知ることができる。なお、社内網１１は、ある拠点の構内だけをカバーすることもあれば、公衆専用線などを経由して複数の拠点間にまたがったエリアをカバーすることもある。
【００２６】
また、行き先情報管理装置１００は、社内網１１を経由し、インターネット２１や携帯電話網３１を介して、位置情報サーバ２３及び携帯端末５５と接続可能となっている。従って、行き先情報管理装置１００は、被管理者（社員）が社外にいるとき、すなわち、被管理者が利用する携帯端末５５が社外にある場合に、携帯端末５５の端末を識別するための端末ＩＤとともに位置情報取得要求を位置情報サーバ２３に送信することにより、位置情報サーバ２３から携帯端末５５の位置情報を取得して、被管理者のおおよその居場所を知ることができる。なお、位置情報サーバ２３は、携帯電話事業者が運営することもあれば、アプリケーションサービスプロバイダが運営することもあるが、独自に構築することも可能である。
【００２７】
このような構成により、行き先情報管理装置１００は、固定端末５１、携帯端末５３又は携帯端末５５から入力された行き先情報を記録し、記録された行き先情報や取得したプレゼンス情報や位置情報を固定端末５１、携帯端末５３又は携帯端末５５により閲覧可能な形式に変換した情報を保存している。
【００２８】
なお、行き先情報管理装置１００の構成の詳細については後述する。
【００２９】
プレゼンスサーバ１３は、本実施形態に係る位置情報提供装置の一例であり、社内網１１に接続され、アクセスポイント１５を利用して社内に位置する携帯端末５３のプレゼンス情報を取得する。具体的には、プレゼンスサーバ１３は、以下のようにしてプレゼンス情報を取得する。まず、携帯端末５３を所持した被管理者が社内にいる場合、その携帯端末５３のＩＤをアクセスポイント１５が読み取る。次いで、プレゼンスサーバ１３がアクセスポイント１５と通信を行って携帯端末５３のＩＤを取得し、当該アクセスポイント１５についての、プレゼンスサーバ１３に格納されたアクセスポイント１５の設置場所の情報から、携帯端末５３のおおよその位置情報を得る。なお、アクセスポイント１５と携帯端末５３との通信手段としては、無線ＬＡＮ、アクティブタグ、Ｂｌｕｅｔｏｏｔｈ（登録商標）などの方式が考えられる。
【００３０】
位置情報サーバ２３は、本実施形態に係る位置情報提供装置の一例であり、社外（社内ＬＡＮ１０のネットワークの外）にある携帯端末５５の位置情報を、屋外に設置された基地局の設置場所に関する情報や、携帯端末５５がＧＰＳ機能を有している場合には、ＧＰＳ機能を利用して携帯端末５５の位置情報を取得する。
【００３１】
固定端末５１は、固定設置型の端末装置であり、本実施形態に係る第１の端末としての機能及び本実施形態に係る第２の端末としての機能をともに有する端末の一例である。具体的には、固定端末５１は、主に、社内網１１を介して行き先情報管理装置１００に接続して、行き先情報の入力を行う行き先情報の入力機能と、行き先表示情報を閲覧する行き先表示の閲覧機能とを有している。また、固定端末５１は、行き先表示の閲覧機能を実現するために、例えば、ｈｔｔｐ形式で保存されたファイル等を表示可能な閲覧ソフトを内蔵している。なお、後述する被管理者管理情報記憶部内のデータベースに登録されているユーザのみが、固定端末５１を使用することができる。
【００３２】
携帯端末５３及び携帯端末５５は、携帯型の端末装置であり、本実施形態に係る第１の端末としての機能及び本実施形態に係る第２の端末としての機能をともに有する端末の一例である。また、本実施形態においては、携帯端末５３は社内ＬＡＮ１０内で使用可能な端末、携帯端末５５は社外で使用可能な端末、とそれぞれ別個の端末として構成しているが、両方の機能（社内ＬＡＮ１０内での使用、及び、社外での利用）が物理的に１つの端末内に内蔵されていてもよい。いずれの場合も、Ｗｅｂベースの汎用的なインターフェースで行き先情報管理装置１００にアクセスが可能な端末とする。
【００３３】
また、携帯端末５５は、例えば、公衆携帯電話網に接続可能なインターフェースを持ち、携帯電話事業者と契約を行い、携帯電話サービスを受けることができる端末である。
【００３４】
なお、本実施形態では、固定端末５１、携帯端末５３及び携帯端末５５は、ともに、第１の端末としての機能（主に、行き先情報の入力機能）及び第２の端末としての機能（主に、行き先表示の閲覧機能）を有するものとしているが、それぞれの機能を有する機器が物理的に別の機器として構成されていてもよい。
【００３５】
また、被管理者は、自分の行き先情報を設定及び変更することができる。行き先情報を設定及び変更するためには、社内網１１に接続された固定端末５１を使用する方法と、社内網１１に接続されたアクセスポイント１５を介して携帯端末５３を使用する方法と、携帯電話網３１を介して携帯端末５５からインターネット２１経由で行う方法とがあるが、いずれの方法も、これらの端末から行き先情報管理装置１００にアクセスし、後述する行き先情報設定処理におり実行される。
【００３６】
（行き先情報管理装置１００の機能構成について）
続いて、図２を参照しながら、本実施形態に係る行き先情報管理装置１００の機能構成について具体的に説明する。なお、図２は、本実施形態に係る行き先情報管理装置１００の機能構成を示すブロック図である。
【００３７】
図２に示すように、行き先情報管理装置１００は、行き先情報設定部１１０と、行き先情報記憶部１２１と、行き先情報更新部１３０と、表示情報生成部１４０と、表示情報記憶部１２３と、利用者管理情報記憶部１２５と、端末識別情報記憶部１２７と、を主に有する。
【００３８】
行き先情報設定部１１０は、被管理者が利用する第１の端末（以下、「入力用端末５１等」という。）からネットワークを介して取得した行き先情報を、当該被管理者の識別情報と対応付けて行き先情報記憶部１２１に記録する。この際、行き先情報設定部１１０は、行き先情報記憶部１２１に既に記憶されている行き先情報や、利用者管理情報記憶部１２５に記憶された行き先情報管理装置１００へのアクセスが許可された被管理者や閲覧者を識別するための情報（ＩＤ等）を参照する。なお、この行き先情報設定部１１０のより具体的な機能構成の例については後述する。
【００３９】
行き先情報記憶部１２１には、行き先情報が被管理者の識別情報と対応付けて記憶されている。また、行き先情報記憶部１２１には、行き先情報と対応付けられる情報として、例えば、その行き先情報の内容（スケジュール）が実行される開始時刻及び終了時刻に関する情報（実行時間情報）や、被管理者の氏名の情報などが記憶されていてもよい。例えば、本実施形態に係る行き先情報記憶部１２１には、被管理者ごとに行き先と開始時刻・終了時刻（戻り時間）を格納する行き先情報管理表と、設定された行き先情報を単位時間ごとに更新するための行き先情報更新テーブルとが記憶されている。
【００４０】
ここで、図３及び図４を参照しながら、本実施形態における行き先情報の記憶形式の一例として、行き先情報管理表及び行き先情報更新テーブルについて説明する。なお、図３及び図４は、本実施形態における行き先情報の記憶形式の一例を示す説明図であり、図３は、行き先情報管理表の構成例を示し、図４は、行き先情報更新テーブルの構成例を示している。
【００４１】
行き先情報管理表は、主に被管理者により設定された行き先情報に基づいて書き込まれる。具体的には、図３に示すように、行き先情報管理表には、利用者ＩＤ（被管理者の識別情報）１２１ａと、被管理者の氏名１２１ｂと、主に被管理者により設定された行き先情報１２１ｃと、当該行き先情報１２１ｃの内容が実行される開始時刻情報１２１ｄ及び終了時刻情報１２１ｅとが対応付けて格納されている。一例を挙げると、利用者ＩＤが１１番の山田太郎氏は、１３：００から第４会議室に行き、１５：００に戻る予定であることがわかる。また、利用者ＩＤが８０番の渡辺三郎氏は、１２：００から休暇をとっており、翌日の始業時刻である９：００までは出社しない予定であることがわかる。
【００４２】
行き先情報更新テーブルでは、被管理者が行き先と時間を設定した際に、その時間帯にフラグ‘１’が立てられる。具体的には、図４に示すように、行き先情報更新テーブルには、利用者ＩＤ１２１ａと、時間帯（本実施形態の例では、１時間単位）に関する情報とが対応付けられて格納されており、現在時刻を示すポインタ１２１ｆが時間帯に関する情報の上に位置している（すなわち、現在時刻は、１４：００〜１５：００の間である）。
【００４３】
これら行き先情報管理表及び行き先情報更新テーブルは、行き先情報更新部１３０により、その内容が更新される。
【００４４】
行き先情報更新部１３０は、行き先情報記憶部１２１に記憶されている行き先情報を所定時間ごとに更新する。具体的には、例えば、図４に示すような行き先情報更新テーブルのフラグを所定時間ごとに更新し、所定時間が経過するごとに過去の情報をクリアして‘０’とする。図４に示した例では、現在時刻として１４：００の時点にポインタ１２１ｆが指し示されており、１４：００になった時点で、１３：００までのフラグは、全被管理者分がクリアされる。この所定時間としては、図４の例では１時間に設定しているが、１分、５分、１０分等、管理者の都合に応じて任意の時間とすることができる。この行き先情報更新部１３０による更新後のデータは、行き先情報記憶部１２１に記憶される。
【００４５】
表示情報生成部１４０は、行き先情報管理装置１００にネットワークを介して接続可能な第２の端末（以下、「閲覧用端末５１等」という。）に行き先情報を表示させるための表示情報を生成する。そして、この表示情報生成部１４０は、まず、行き先情報が行き先情報記憶部１２１に記憶されているか否かを被管理者ごとに確認する。その結果、確認時における行き先情報が行き先情報記憶部１２１に記憶されている場合には、当該行き先情報を被管理者の行き先として表示情報を生成する。一方、確認時における行き先情報が行き先情報記憶部１２１に記憶されていない場合には、確認時における入力用端末５１等の位置情報（本実施形態では、携帯端末５３又は携帯端末５５）を行き先情報管理装置１００にネットワークを介して接続可能な外部機器（本実施形態では、プレゼンスサーバ１３及び位置情報サーバ２３）から取得し、当該位置情報を被管理者の行き先として表示情報を生成する。
【００４６】
この表示情報の生成方法としては、例えば、閲覧用端末５１等に表示可能な形式で表示情報記憶部１２３に記憶されている行き先情報を含むテーブル（以下、「行き先表示テーブル」という。）等に、最新の行き先情報を書き込む方法等がある。最新の行き先情報は、上述したように、まず、表示情報生成部１４０は、行き先情報記憶部１２１を参照する。その結果、行き先情報が記憶されていれば、表示情報生成部１４０は、当該行き先情報を被管理者の行き先として設定し、これを行き先表示テーブルに書き込む。一方、行き先情報が記憶されていない場合には、表示情報生成部１４０は、端末識別情報記憶部１２７から、入力用端末５１等のＩＤを取得し、このＩＤに基づいて、プレゼンスサーバ１３または位置情報サーバ２３に問い合わせて、入力用端末５１等の位置情報を取得する。そして、表示情報生成部１４０は、取得した位置情報を被管理者の行き先として設定し、これを行き先表示テーブルに書き込む。
【００４７】
表示情報記憶部１２３には、表示情報生成部１４０により生成された表示情報が記憶される。この表示情報としては、例えば、上述した行き先表示テーブル等がある。この行き先表示テーブルには、例えば、被管理者の識別情報と、被管理者の氏名と、設定された行き先と、当該行き先からの戻り時刻等とが対応付けられて格納されている。また、行き先表示テーブルは、Ｗｅｂベースで構築するなどして、社内網１１や携帯電話網３１を経由して、社内外から固定端末５１、携帯端末５３、携帯端末５５（すなわち閲覧用端末５１等）などから特別なツールをインストールすることなく、閲覧可能であることが望ましい。
【００４８】
ここで、図５を参照しながら、本実施形態における表示情報の記憶形式の一例として、行き先表示テーブルについて説明する。なお、図５は、本実施形態における表示情報の記憶形式の一例を示す説明図であり、行き先表示テーブルの構成例を示している。
【００４９】
行き先表示テーブルは、主に被管理者により設定された行き先情報、プレゼンスサーバ１３から取得した携帯端末５３のプレゼンス情報、又は位置情報サーバ２３から取得した携帯端末５５の位置情報に基づいて書き込まれる。具体的には、図３に示すように、行き先表示テーブルには、利用者ＩＤ（被管理者の識別情報）１２３ａと、被管理者の氏名１２３ｂと、主に被管理者により設定された行き先情報、プレゼンスサーバ１３から取得した携帯端末５３のプレゼンス情報、又は位置情報サーバ２３から取得した携帯端末５５の位置情報に基づいて設定された行き先１２３ｃと、当該行き先１２３ｃの内容が実行される終了時刻（戻り時刻）情報１２３ｄとが対応付けて格納されている。一例を挙げると、利用者ＩＤが１１番の山田太郎氏は、１５：００まで第４会議室に居て、１５：００に戻る予定であることが閲覧できる。また、利用者ＩＤが８０番の渡辺三郎氏は、休暇をとっていることが閲覧できる。
【００５０】
再び図２を参照すると、利用者管理情報記憶部１２５には、行き先情報管理装置１００の利用及び閲覧を許可された利用者（被管理者及び閲覧者）を識別するための利用者管理情報（利用者のＩＤ、利用者の氏名、利用者の所持する端末ＩＤ、パスワード等）が記憶される。また、端末識別情報記憶部１２７には、被管理者の所持する携帯端末の識別番号から被管理者個人を特定するための端末識別情報（被管理者の所持する端末ＩＤ、被管理者の氏名等）が記憶される。
【００５１】
以上、図２に基づいて、行き先情報管理装置１００の全体的な機能構成について説明したが、続いて、行き先情報設定部１１０、行き先情報更新部１３０、及び表示情報生成部１４０の機能構成について、さらに詳細に説明する。
【００５２】
まず、図６を参照しながら、本実施形態に係る行き先情報設定部１１０の機能構成について説明する。なお、図６は、本実施形態に係る行き先情報設定部１１０の機能構成を示すブロック図である。
【００５３】
図６に示すように、行き先情報設定部１１０は、ログイン情報取得部１１１と、ログイン判定部１１２と、行き先情報取得部１１３と、被管理者ＩＤ識別部１１４と、入力情報漏れ確認部１１５と、入力情報論理性確認部１１６と、入力情報重複有無確認部１１７と、入力内容確認部１１８と、行き先情報記録部１１９と、を主に有する。
【００５４】
ログイン情報取得部１１１は、入力用端末５１等（本実施形態では、固定端末５１、携帯端末５３、携帯端末５５）から、社内網１１、インターネット２１、携帯電話網３１などを経由して、被管理者のログイン情報（被管理者のユーザ名、パスワード等）を取得する。この際、ログイン情報取得部１１１は、ログイン情報とともに被管理者が所持する端末（本実施形態では、携帯端末５３、携帯端末５５）のＩＤを取得してもよい。ログイン情報取得部は、取得したログイン情報をログイン判定部１１２及び被管理者ＩＤ識別部１１４に供給する。
【００５５】
ログイン判定部１１２は、利用者管理情報記憶部１２５に格納された利用者管理情報を抽出し、ログイン情報取得部１１１から供給された被管理者のログイン情報を、抽出された利用者管理情報の内容と照合し、アクセスしてきた被管理者のユーザ名、パスワード及び行き先情報管理装置１００の利用権限等のチェックを行う。その結果、チェックがＮＧだった場合（例えば、利用権限のない者からのログインであった場合）には、例えば、入力用端末５１等に対し、エラーメッセージとともに再度のログイン情報の入力を促すメッセージを送信する。一方、チェックがＯＫだった場合には、例えば、入力用端末５１等に対し、ログインを許可する旨のメッセージとともに行き先情報の入力を促すメッセージを送信する。
【００５６】
行き先情報取得部１１３は、入力用端末５１等から、ログインが許可された被管理者についての行き先情報を取得する。行き先情報取得部１１３は、取得した行き先情報を、入力情報漏れ確認部１１５、入力情報論理性確認部１１６、入力情報重複有無確認部１１７、入力情報内容確認部１１８、及び行き先情報記録部１１９に供給する。
【００５７】
被管理者ＩＤ識別部１１４は、ログイン情報取得部１１１から供給されたログイン情報と、利用者管理情報記憶部１２５から抽出した利用者管理情報とに基づいて、被管理者のＩＤを識別する。被管理者ＩＤ識別部１１４は、識別された被管理者のＩＤに関する情報を、行き先情報記録部１１９に供給する。
【００５８】
入力情報漏れ確認部１１５は、入力用端末５１等から入力された（行き先情報取得部１１３から供給された）行き先情報の内容に過不足が無いか否かをチェックする。このチェックは、例えば、行き先情報、当該行き先情報に対応する開始時刻及び終了時刻に関する情報が存在するか否かをチェックする。チェックがＮＧである場合（例えば、終了時刻に関する情報が無い場合）には、入力用端末５１等に対してエラーメッセージとともに、行き先情報の再入力を促すメッセージを送信する。一方、チェックがＯＫである場合には、入力情報論理性確認部１１６に、行き先情報の内容に過不足が無い旨のメッセージを伝送する。
【００５９】
入力情報論理性確認部１１６は、入力用端末５１等から入力された行き先情報の論理性チェックを行う。このチェックは、例えば、入力された時刻情報が過去の時刻に関する情報であったりした場合にＮＧとなる。このチェックがＮＧである場合には、入力用端末５１等に対してエラーメッセージとともに、行き先情報の再入力を促すメッセージを送信する。一方、チェックがＯＫである場合には、入力情報重複有無確認部１１７に、行き先情報の内容に論理性がある旨のメッセージを伝送する。
【００６０】
入力情報重複有無確認部１１７は、行き先情報記憶部１２１に格納されている行き先管理表及び行き先情報更新テーブルを参照し、入力用端末５１等から入力された行き先情報と、既に設定されている（行き先情報記憶部１２１に記憶されている）行き先情報とが時間的に重複していないか否かをチェックする。その結果、重複していた場合には、入力情報重複有無確認部１１７は、入力用端末５１等に対して警告メッセージを送信した後、入力用端末５１等から、新たに入力された行き先情報を上書きしてよい（ＯＫ）旨のメッセージ、または、新たに入力された行き先情報を訂正する（ＮＧ）旨のメッセージを受信するのを待つ。その結果、入力情報重複有無確認部１１７は、入力用端末５１等から、ＯＫの旨のメッセージを受信した場合には、入力情報漏れ確認部１１５、入力情報論理性確認部１１６及び入力情報重複有無確認部１１７によるチェックが全てＯＫである旨のメッセージを入力情報内容確認部１１８に供給する。なお、入力情報内容確認部１１８は必ずしも設けられている必要はなく、入力情報内容確認部１１８が設けられていない場合には、入力情報重複有無確認部１１７は、入力情報漏れ確認部１１５、入力情報論理性確認部１１６及び入力情報重複有無確認部１１７によるチェックが全てＯＫである旨のメッセージを行き先情報記録部１１９に供給する。
【００６１】
入力情報内容確認部１１８は、例えば、入力用端末５１等から入力された行き先情報の内容が‘ＯＦＦ’であるか否かを確認し、この結果を行き先情報記録部１１９に供給する。
【００６２】
行き先情報記録部１１９は、行き先情報取得部１１３から供給された行き先情報、被管理者ＩＤ識別部１１４から供給された被管理者ＩＤ、入力情報内容確認部１１８から供給された行き先情報の内容に基づいて、行き先情報を被管理者のＩＤと対応付けて行き先情報記憶部１２１に記録する。具体的には、例えば、行き先情報記録部１１９は、入力された行き先情報が‘ＯＦＦ’であった場合には、被管理者は既に本日の業務を終了して私的な時間に移行したものとみなし、行き先管理表の当該被管理者の行き先表示欄（図３の行き先情報１２１ｃを参照）に‘ＯＦＦ’を書き込む。さらに、行き先情報記録部１１９は、行き先更新テーブルの当該被管理者の当該時刻から翌営業日の始業時までの全ての時間帯にフラグ‘１’を設定する。一方、行き先情報記録部１１９は、入力された行き先情報が‘ＯＦＦ’以外であった場合には、入力用端末５１等から入力された行き先情報をそのまま行き先管理表に書き込む。さらに、行き先情報記録部１１９は、当該被管理者が設定した時間帯について、行き先情報更新テーブルの当該被管理者の指定された全ての時間帯にフラグ‘１’を設定する。
【００６３】
次に、図７を参照しながら、本実施形態に係る行き先情報更新部１３０の機能構成について説明する。なお、図７は、本実施形態に係る行き先情報更新部１３０の機能構成を示すブロック図である。
【００６４】
図７に示すように、行き先情報更新部１３０は、現在時刻情報取得部１３１と、現在時刻更新部１３３と、フラグ情報取得部１３５と、フラグ判定部１３７と、行き先更新部１３９と、を主に有する。
【００６５】
現在時刻情報取得部１３１は、行き先情報更新部１３０の外部からＰＣの時計機能等により取得された現在時刻情報を取得し、取得した現在時刻情報を現在時刻更新部１３３に供給する。
【００６６】
現在時刻更新部１３３は、現在時刻情報取得部１３１から供給された現在時刻情報に基づいて、所定時間ごとに定期的に、現在時刻の更新を行う。具体的には、例えば、現在時刻更新部１３３は、現在時刻情報取得部１３１から供給された現在時刻情報に基づいて、行き先情報記憶部１２１に記憶された行き先情報更新テーブルにおけるポインタ（図４のポインタ１２１ｆを参照）の位置を更新する。なお、現在時刻更新部１３３が現在時刻の更新を行う周期である所定時間としては、管理者の意思に応じて可変であることが望ましく、この場合、例えば、１時間、１０分、５分と任意の時間を設定することができる。
【００６７】
フラグ情報取得部１３５は、行き先情報記憶部１２１に記憶された行き先情報更新テーブルにおけるポインタで指し示された時刻に該当する当該被管理者のフラグ情報を取得し、取得したフラグ情報をフラグ判定部１３７に供給する。
【００６８】
フラグ判定部１３７は、フラグ情報取得部１３５から供給されたフラグ情報の中から、まず、最初の被管理者ＩＤに対応するフラグを読み出し、その値が‘０’であるか否かを判定する。その結果、フラグの値が‘０’である場合には、その判定結果を行き先更新部１３９に伝送した後に、次の被管理者のデータが存在するか否かを判定する。一方、フラグの値が‘０’でない場合（すなわち、‘１’である場合）には、フラグ判定部１３７は、次の被管理者のデータが存在するか否かを判定する。次の被管理者のデータが存在する場合には、フラグ判定部１３７は、上記フラグ値の判定結果を行き先更新部１３９に伝送する。このようにして、フラグ判定部１３７は、次の被管理者のデータが存在しなくなるまで上記判定を行い、次の被管理者のデータが存在しなくなった場合には、その判定結果を行き先更新部１３９に伝送する。
【００６９】
行き先更新部１３９は、フラグ判定部１３７から、フラグ値が‘０’である旨の判定結果を受け取った場合には、当該被管理者ＩＤに対応する行き先管理表の行き先情報欄（図３の行き先情報１２１ｃを参照）ならびに時刻欄（図３の開始時刻情報１２１ｄ及び終了時刻情報１２１ｅを参照）を空欄に設定する。また、行き先更新部１３９は、フラグ判定部１３７から、次の被管理者のデータが存在しなくなった旨の判定結果を受け取った場合には、更新処理を終了する。
【００７０】
次に、図８を参照しながら、本実施形態に係る表示情報生成部１４０の機能構成について説明する。なお、図８は、本実施形態に係る表示情報生成部１４０の機能構成を示すブロック図である。
【００７１】
図８に示すように、表示情報生成部１４０は、現在時刻情報取得部１４１と、フラグ情報取得部１４２と、フラグ判定部１４３と、行き先情報取得部１４４と、行き先設定部１４５と、端末ＩＤ取得部１４６と、プレゼンス情報取得部１４７と、位置情報取得部１４８と、表示情報記録部１４９と、を主に有する。
【００７２】
現在時刻情報取得部１４１は、所定時間ごとに、行き先情報更新部１４０の外部からＰＣの時計機能等により取得された現在時刻情報を取得し、取得した現在時刻情報をフラグ情報取得部１４２に供給する。なお、現在時刻情報取得部１４１が現在時刻情報を取得する周期である所定時間としては、被管理者の行き先の変化を迅速に把握するためにできるだけ短いことが望ましく、例えば、１分程度であることが望ましい。
【００７３】
フラグ情報取得部１４２は、現在時刻情報取得部１４１から供給された現在時刻情報に基づいて、行き先情報記憶部１２１に格納された行き先情報更新テーブルから現在時刻を示すポインタに対応する更新テーブル値（フラグ情報）を取得する。フラグ情報取得部１４２は、取得した更新テーブル値をフラグ判定部１４３に供給する。
【００７４】
フラグ判定部１４３は、本実施形態に係る記憶状況判定部の一例であり、フラグ情報取得部１４２から供給された更新テーブル値の中から、まず、最初の被管理者ＩＤに対応するフラグを読み出し、その値が‘１’であるか否かを判定する。その結果、フラグの値が‘１’である場合には、その判定結果を行き先情報取得部１４４に伝送した後に、次の被管理者のデータが存在するか否かを判定する。一方、フラグの値が‘１’でない場合（すなわち、‘０’である場合）には、フラグ判定部１４３は、その判定結果を端末ＩＤ取得部１４６に伝送した後に、次の被管理者のデータが存在するか否かを判定する。次の被管理者のデータが存在する場合には、フラグ判定部１４３は、上記フラグ値の判定結果を行き先情報取得部１４４又は端末ＩＤ取得部１４６に伝送する。このようにして、フラグ判定部１４３は、次の被管理者のデータが存在しなくなるまで上記判定を行い、次の被管理者のデータが存在しなくなった場合には、その判定結果を行き先情報取得部１４４及び端末ＩＤ取得部１４６に伝送し、当該判定結果を受け取った行き先情報取得部１４４及び端末ＩＤ取得部１４６は、処理を終了する。
【００７５】
行き先情報取得部１４４は、フラグ判定部１４３から、フラグ値が‘１’である旨の判定結果を受け取った場合には、行き先情報記憶部１２１に格納された行き先情報管理表から当該被管理者の行き先情報と対応する時間情報を取得し、取得した情報を行き先設定部１４５に供給する。
【００７６】
行き先設定部１４５は、行き先情報取得部１４４から供給された行き先情報及び時間情報、プレゼンス情報取得部１４７から供給されたプレゼンス情報、又は位置情報取得部１４８から供給された位置情報を、当該被管理者の行き先情報（及び時間情報）として設定する（図５の行き先情報１２３ｃ及び終了時刻情報１２３ｄを参照）。なお、行き先設定部１４５がプレゼンス情報又は位置情報を取得した場合には、時間情報はｎｕｌｌに設定される。行き先設定部１４５は、設定された行き先情報及び時間情報を、表示情報記録部１４９に供給する。また、後述するように、行き先設定部１４５は、位置情報取得部１４８から、位置情報を取得できなかった旨のメッセージを受け取った場合には、‘行き先不明’を当該被管理者の行き先情報として設定し、その設定内容に関する情報を表示情報記録部１４９に供給する。
【００７７】
端末ＩＤ取得部１４６は、フラグ判定部１４３から、フラグ値が‘０’である旨の判定結果を受け取った場合には、当該被管理者の利用者ＩＤをキー情報として、端末識別情報記憶部１２７に記憶されている端末識別情報に含まれる端末ＩＤを取得し、取得した端末ＩＤをプレゼンス情報取得部１４７及び位置情報取得部１４８に供給する。
【００７８】
プレゼンス情報取得部１４７は、端末ＩＤ取得部１４６から端末ＩＤを取得した場合には、取得した端末ＩＤをキー情報として、プレゼンスサーバ１３に当該被管理者が所持する携帯端末５３のプレゼンス情報を問い合わせる。その結果、プレゼンス情報取得部１４７は、プレゼンス情報を取得できた場合には、取得したプレゼンス情報を行き先設定部１４５に供給する。一方、プレゼンス情報取得部１４７は、プレゼンス情報を取得できなかった場合、すなわち、携帯端末５３が電波の届かないところに位置しているか、電源が切られている場合には、プレゼンス情報を取得できなかった旨のメッセージを位置情報取得部１４８に伝送する。
【００７９】
位置情報取得部１４８は、プレゼンス情報取得部１４７から、プレゼンス情報を取得できなかった旨のメッセージを受け取った場合には、端末ＩＤ取得部１４６から取得した端末ＩＤをキー情報として、インターネット２１を経由して位置情報サーバ２３にアクセスし、当該被管理者が所持する携帯端末５５の位置情報を問い合わせる。その結果、位置情報取得部１４８は、位置情報を取得できた場合には、取得した位置情報を行き先設定部１４５に供給する。一方、位置情報取得部１４８は、位置情報を取得できなかった場合、すなわち、携帯端末５５が電波の届かないところに位置しているか、電源が切られている場合には、位置情報を取得できなかった旨のメッセージを行き先設定部１４５に伝送する。
【００８０】
表示情報記録部１４９は、行き先設定部１４５から受け取った設定内容に関する情報に基づいて、表示情報を生成し、表示情報記憶部１２３に記録する。具体的には、例えば、表示情報記録部１４９は、行き先設定部１４５から受け取った設定内容に関する情報に基づいて、表示情報記憶部１２３に格納された行き先表示テーブルの当該被管理者の欄に、設定された行き先情報及び時間情報を書き込む。
【００８１】
（行き先情報管理装置１００のハードウェア構成について）
以上、本実施形態に係る行き先情報管理装置１００および識別情報読取装置の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【００８２】
以下、図９を参照しながら、本実施形態に係る行き先情報管理装置１００のハードウェア構成について、詳細に説明する。図９は、本実施形態に係る行き先情報管理装置１００のハードウェア構成を示すブロック図である。
【００８３】
行き先情報管理装置１００は、主に、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０３と、ＲＡＭ（Ｒａｎｄｏｍ  Ａｃｃｅｓｓ  Ｍｅｍｏｒｙ）９０５と、ホストバス９０７と、ブリッジ９０９と、外部バス９１１と、インターフェース９１３と、入力装置９１５と、出力装置９１７と、ストレージ装置９１９と、ドライブ９２１と、通信装置９２３とを備える。
【００８４】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って行き先情報管理装置１００内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【００８５】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【００８６】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、行き先情報管理装置１００の操作に対応した固定端末５１、携帯端末５３、携帯端末５５やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。行き先情報管理装置１００のユーザは、この入力装置９１５を操作することにより、行き先情報管理装置１００に対して各種のデータを入力したり処理動作を指示したりすることができる。
【００８７】
出力装置９１７は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなど、取得した情報をユーザに対して視覚的または聴覚的に通知することが可能な装置で構成される。
【００８８】
ストレージ装置９１９は、本実施形態にかかる行き先情報管理装置１００の行き先情報記憶部１２１、表示情報記憶部１２３、利用者管理情報記憶部１２５、端末識別情報記憶部１２７等の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した画像信号データなどを格納する。
【００８９】
ドライブ９２１は、記憶媒体用リーダライタであり、行き先情報管理装置１００に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【００９０】
通信装置９２３は、例えば、インターネット２１等に接続するための通信デバイス等で構成された通信インターフェースである。通信装置９２３は、例えば、有線または無線ＬＡＮ（Ｌｏｃａｌ  Ａｒｅａ  Ｎｅｔｗｏｒｋ）、Ｂｌｕｅｔｏｏｔｈ、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等である。この通信装置９２３は、例えば、インターネットや他の通信機器との間で画像信号等を送受信することができる。また、通信装置９２３に接続されるインターネット２１等は、有線または無線によって接続されたネットワーク等により構成され、例えば、インターネット、家庭内ＬＡＮ、赤外線通信、または衛星通信等であってもよい。
【００９１】
なお、本実施形態に係るプレゼンスサーバ１３や位置情報サーバ２３等のハードウェア構成は、行き先情報管理装置１００のハードウェア構成と実質的に同一であるので、説明を省略する。
【００９２】
以上、本実施形態に係る行き先情報管理装置１００の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【００９３】
（行き先情報管理装置１００を用いた行き先情報管理方法について）
以上、行き先情報管理装置１００の構成について詳細に説明したが、続いて、このような行き先情報管理装置１００を用いた本実施形態に係る行き先情報管理方法について説明する。
【００９４】
本実施形態に係る行き先情報管理方法は、自己の居場所が管理される被管理者の行き先を示す行き先情報を管理する方法であって、被管理者が利用する入力用端末５１等からネットワークを介して取得した行き先情報を、当該被管理者の識別情報と対応付けて記録する行き先情報設定ステップと、記録された行き先情報を所定時間ごとに更新する行き先情報更新ステップと、行き先情報管理装置１００にネットワークを介して接続可能な閲覧用端末５１等に行き先情報を表示させるための表示情報を生成する表示情報生成ステップと、を含む。ここで、表示情報生成ステップでは、行き先情報が行き先情報記憶部１２１に記憶されているか否かを被管理者ごとに確認する。その結果、確認時における行き先情報が行き先情報記憶部１２１に記憶されている場合には、当該行き先情報を被管理者の行き先として表示情報を生成する。一方、確認時における行き先情報が行き先情報記憶部１２１に記憶されていない場合には、確認時における携帯端末５３や携帯端末５５の位置情報を行き先情報管理装置１００にネットワークを介して接続可能なプレゼンスサーバ１３や位置情報サーバ２３等の外部機器から取得し、当該位置情報を被管理者の行き先として表示情報を生成する。以下、各ステップ（行き先情報設定ステップ、行き先情報更新ステップ、及び表示情報生成ステップ）における処理の詳細について説明する。
【００９５】
まず、図１０を参照しながら、行き先情報設定ステップにおける処理の流れについて説明する。なお、図１０は、本実施形態に係る行き先情報設定ステップにおける処理の流れを示すフローチャートである。
【００９６】
本処理においては、行き先を設定しようとする被管理者は、固定端末５１、携帯端末５３又は携帯端末５３を操作し、携帯電話網３１、インターネット２１、社内網１１などを経由して行き先情報管理装置１００にログインして行き先を設定する。
【００９７】
図１０に示すように、まず、ログイン情報取得部１１１が、入力用端末５１等（本実施形態では、固定端末５１、携帯端末５３、携帯端末５５）から、社内網１１、インターネット２１、携帯電話網３１などを経由して、被管理者のログイン情報（被管理者のユーザ名、パスワード等）を取得する。この際、ログイン情報取得部１１１は、ログイン情報とともに被管理者が所持する端末（本実施形態では、携帯端末５３、携帯端末５５）のＩＤを取得してもよい。
【００９８】
次いで、ログイン判定部１１２が、利用者管理情報記憶部１２５に格納された利用者管理情報を抽出し、ログイン情報取得部１１１が取得した被管理者のログイン情報を、抽出された利用者管理情報の内容と照合し、アクセスしてきた被管理者のユーザ名、パスワード及び行き先情報管理装置１００の利用権限等のチェックを行う（Ｓ１０１）。その結果、チェックがＮＧだった場合（例えば、利用権限のない者からのログインであった場合）には、例えば、入力用端末５１等に対し、エラーメッセージとともに再度のログイン情報の入力を促すメッセージを送信する（Ｓ１０３）。一方、チェックがＯＫだった場合には、例えば、入力用端末５１等に対し、ログインを許可する旨のメッセージとともに行き先情報の入力を促すメッセージを送信する。
【００９９】
次いで、行き先情報取得部１１３が、入力用端末５１等から、ログインが許可された被管理者についての行き先情報を取得する（Ｓ１０５）。
【０１００】
次いで、被管理者ＩＤ識別部１１４が、ログイン情報取得部１１１が取得したログイン情報と、利用者管理情報記憶部１２５から抽出した利用者管理情報とに基づいて、被管理者のＩＤを識別する（Ｓ１０７）。
【０１０１】
次いで、入力情報漏れ確認部１１５が、入力用端末５１等から入力された（行き先情報取得部１１３から供給された）行き先情報の内容に過不足が無いか否かをチェックする（Ｓ１０９）。このチェックは、例えば、行き先情報、当該行き先情報に対応する開始時刻及び終了時刻に関する情報が存在するか否かをチェックする。チェックがＮＧである場合（例えば、終了時刻に関する情報が無い場合）には、入力用端末５１等に対してエラーメッセージとともに、行き先情報の再入力を促すメッセージを送信する（Ｓ１１１）。一方、チェックがＯＫである場合には、次のステップＳ１１３に移行する。
【０１０２】
次いで、入力情報論理性確認部１１６が、入力用端末５１等から入力された行き先情報の論理性チェックを行う（Ｓ１１３）。このチェックは、例えば、入力された時刻情報が過去の時刻に関する情報であったりした場合にＮＧとなる。このチェックがＮＧである場合には、ステップＳ１１１に移行し、入力用端末５１等に対してエラーメッセージとともに、行き先情報の再入力を促すメッセージを送信する。一方、チェックがＯＫである場合には、次のステップＳ１１５に移行する。
【０１０３】
次いで、入力情報重複有無確認部１１７が、行き先情報記憶部１２１に格納されている行き先管理表及び行き先情報更新テーブルを参照し、入力用端末５１等から入力された行き先情報と、既に設定されている（行き先情報記憶部１２１に記憶されている）行き先情報とが時間的に重複していないか否かをチェックする（Ｓ１１５）。その結果、重複していた場合には、入力情報重複有無確認部１１７は、入力用端末５１等に対して警告メッセージを送信した後（Ｓ１１７）、入力用端末５１等から、新たに入力された行き先情報を上書きしてよい（ＯＫ）旨のメッセージ、または、新たに入力された行き先情報を訂正する（ＮＧ）旨のメッセージを受信するのを待つ（Ｓ１１９）。その結果、入力情報重複有無確認部１１７が、入力用端末５１等から、ＯＫの旨のメッセージを受信した場合には、後述するステップＳ１２３に移行する。一方、入力情報重複有無確認部１１７が、入力用端末５１等から、ＮＧの旨のメッセージを受信した場合には、再び行き先情報の入力を待つステップＳ１０５に戻る。
【０１０４】
次いで、入力情報内容確認部１１８が、入力用端末５１等から入力された行き先情報の内容が‘ＯＦＦ’であるか否かを判定する（Ｓ１２３）。
【０１０５】
ステップＳ１２３の判定の結果、入力された行き先情報が‘ＯＦＦ’であった場合には、行き先情報記録部１１９が、被管理者は既に本日の業務を終了して私的な時間に移行したものとみなし、行き先管理表の当該被管理者の行き先表示欄（図３の行き先情報１２１ｃを参照）に‘ＯＦＦ’を書き込む（Ｓ１２９）。さらに、行き先情報記録部１１９が、行き先更新テーブルの当該被管理者の当該時刻から翌営業日の始業時までの全ての時間帯にフラグ‘１’を設定し（Ｓ１３１）、本処理を終了する。一方、ステップＳ１２３の判定の結果、入力された行き先情報が‘ＯＦＦ’以外であった場合には、行き先情報記録部１１９が、入力用端末５１等から入力された行き先情報をそのまま行き先管理表に書き込む（Ｓ１２５）。さらに、行き先情報記録部１１９が、当該被管理者が設定した時間帯について、行き先情報更新テーブルの当該被管理者の指定された全ての時間帯にフラグ‘１’を設定し（Ｓ１２７）、本処理を終了する。
【０１０６】
次に、図１１を参照しながら、行き先情報更新ステップにおける処理の流れについて説明する。なお、図１１は、本実施形態に係る行き先情報更新ステップにおける処理の流れを示すフローチャートである。
【０１０７】
本処理は、行き先情報管理装置１００のオペレーションシステム（ＯＳ）等から定期的に起動されるようなプログラムとして設定する必要がある。起動周期は、管理者の意思に応じて可変であることが望ましく、この場合、例えば、１時間、１０分、５分と任意の時間を設定することができる。
【０１０８】
図１１に示すように、本処理が起動されるとまず、現在時刻情報取得部１３１が、行き先情報更新部１３０の外部からＰＣの時計機能等により取得された現在時刻情報を取得し、取得した現在時刻情報に基づいて、現在時刻更新部１３３が、行き先情報記憶部１２１に記憶された行き先情報更新テーブルにおけるポインタ（図４のポインタ１２１ｆを参照）の位置を更新する（Ｓ２０１）。
【０１０９】
次いで、フラグ情報取得部１３５が、行き先情報記憶部１２１に記憶された行き先情報更新テーブルにおけるポインタで指し示された時刻に該当する当該被管理者のフラグ情報を取得する（Ｓ２０３）。
【０１１０】
次いで、フラグ判定部１３７が、フラグ情報取得部１３５が取得したフラグ情報の中から、まず、最初の被管理者ＩＤに対応するフラグを読み出し、その値が‘０’であるか否かを判定する（Ｓ２０５）。この判定の結果、フラグの値が‘０’である場合には、ステップＳ２０７に移行する。一方、ステップＳ２０５の判定の結果、フラグの値が‘０’でない場合（すなわち、‘１’である場合）には、ステップＳ２０７をスキップして、ステップＳ２０９に移行する。
【０１１１】
次いで、ステップＳ２０７において、当該被管理者ＩＤに対応する行き先管理表の行き先情報欄（図３の行き先情報１２１ｃを参照）ならびに時刻欄（図３の開始時刻情報１２１ｄ及び終了時刻情報１２１ｅを参照）を空欄に設定する。
【０１１２】
次いで、ステップＳ２０９において、次の被管理者のデータが存在するか否かを判定する。この判定の結果、次の被管理者のデータが存在する場合には、次の被管理者に対して、ステップＳ２０３からステップ２０７を再び実行する。このようにして、フラグ判定部１３７が、次の被管理者のデータが存在しなくなるまで上記判定を行い、ステップＳ２０９の判定の結果、次の被管理者のデータが存在しなくなった場合には、全ての被管理者分の処理が終了したこととなり、本処理を終了する。
【０１１３】
最後に、図１２を参照しながら、表示情報生成ステップにおける処理の流れについて説明する。なお、図１２は、本実施形態に係る表示情報生成ステップにおける処理の流れを示すフローチャートである。
【０１１４】
本処理は、行き先情報管理装置１００のオペレーションシステム（ＯＳ）等から定期的に起動されるようなプログラムとして設定する必要がある。起動周期は、被管理者の行き先の変化を迅速に把握するためにできるだけ短いことが望ましく、例えば、１分程度であることが望ましい。
【０１１５】
図１２に示すように、本処理が起動されるとまず、現在時刻情報取得部１４１が、所定時間ごとに、行き先情報更新部１４０の外部からＰＣの時計機能等により取得された現在時刻情報を取得する。そして、フラグ情報取得部１４２が、取得された現在時刻情報に基づいて、行き先情報記憶部１２１に格納された行き先情報更新テーブルから現在時刻を示すポインタに対応する更新テーブル値（フラグ情報）を取得する（Ｓ３０１）。
【０１１６】
次いで、フラグ判定部１４３が、フラグ情報取得部１４２が取得した更新テーブル値の中から、まず、最初の被管理者ＩＤに対応するフラグを読み出し、その値が‘１’であるか否かを判定する（Ｓ３０３）。この判定の結果、フラグの値が‘１’である場合には、ステップＳ３０７に移行し、フラグの値が‘１’でない場合（すなわち、‘０’である場合）には、ステップＳ３０５に移行する。
【０１１７】
ステップＳ３０７においては、行き先情報取得部１４４が、行き先情報記憶部１２１に格納された行き先情報管理表から当該被管理者の行き先情報と対応する時間情報を取得し、行き先設定部１４５が、取得した行き先情報及び時間情報を当該被管理者の行き先情報及び時間情報として設定する（図５の行き先情報１２３ｃ及び終了時刻情報１２３ｄを参照）。
【０１１８】
ステップＳ３０５においては、当該被管理者の利用者ＩＤをキー情報として、端末識別情報記憶部１２７に記憶されている端末識別情報に含まれる端末ＩＤを取得する。
【０１１９】
次いで、プレゼンス情報取得部１４７が、端末ＩＤ取得部１４６から端末ＩＤを取得した場合には、取得した端末ＩＤをキー情報として、プレゼンスサーバ１３に当該被管理者が所持する携帯端末５３のプレゼンス情報を問い合わせ（Ｓ３０９）、プレゼンス情報の取得ができたか否かの判定を行う（Ｓ３１１）。この判定の結果、プレゼンス情報の取得ができた場合には、ステップＳ３１５に移行し、プレゼンス情報の取得ができなかった場合、すなわち、携帯端末５３が電波の届かないところに位置しているか、電源が切られている場合には、ステップＳ３１３に移行する。
【０１２０】
ステップＳ３１５においては、行き先設定部１４５が、プレゼンス情報取得部１４７から供給されたプレゼンス情報を当該被管理者の行き先情報として設定し、時間情報をｎｕｌｌに設定する（図５の行き先情報１２３ｃ及び終了時刻情報１２３ｄを参照）。
【０１２１】
ステップＳ３１３においては、位置情報取得部１４８が、端末ＩＤ取得部１４６から取得した端末ＩＤをキー情報として、インターネット２１を経由して位置情報サーバ２３にアクセスし、当該被管理者が所持する携帯端末５５の位置情報を問い合わせる。さらに、位置情報取得部１４８は、位置情報の取得ができたか否かの判定を行う（Ｓ３１７）。この判定の結果、位置情報の取得ができた場合には、ステップＳ３１９に移行し、位置情報の取得ができなかった場合、すなわち、携帯端末５５が電波の届かないところに位置しているか、電源が切られている場合には、ステップＳ３２１に移行する。
【０１２２】
ステップＳ３１９においては、行き先設定部１４５が、位置情報取得部１４８から供給された位置情報を当該被管理者の行き先情報として設定し、時間情報をｎｕｌｌに設定する（図５の行き先情報１２３ｃ及び終了時刻情報１２３ｄを参照）。
【０１２３】
ステップＳ３２１においては、行き先設定部１４５が、‘行き先不明’を当該被管理者の行き先情報として設定する。
【０１２４】
次いで、以上のようにして設定された行き先情報及び時間情報に基づいて、表示情報記録部１４９が、表示情報記憶部１２３に格納された行き先表示テーブルの当該被管理者の欄に、設定された行き先情報及び時間情報を書き込む（Ｓ３２３）。
【０１２５】
次いで、フラグ判定部１４３が、次の被管理者のデータが存在するか否かを判定する（Ｓ３２５）。この判定の結果、次の被管理者のデータが存在する場合には、次の被管理者に対して、ステップＳ３０３からステップ３２３を再び実行する。このようにして、フラグ判定部１４３が、次の被管理者のデータが存在しなくなるまで上記判定を行い、ステップＳ３２５の判定の結果、次の被管理者のデータが存在しなくなった場合には、全ての被管理者分の処理が終了したこととなり、本処理を終了する。
【０１２６】
以上のように、本実施形態によれば、被管理者の居場所に関わらず、被管理者が携帯端末を所持している限りにおいて、被管理者の行き先を知ることができる。
【０１２７】
また、本実施形態によれば、被管理者が行き先を自分で設定することを前提としているが、行き先の設定忘れがあった場合でも、行き先情報管理装置１００の行き先情報設定部１１０により、被管理者の外出先からでも行き先を設定することができる。
【０１２８】
また、被管理者の行き先情報を閲覧する場合も、例えば、行き先表示テーブルをＷｅｂベースで構築することにより、携帯電話やモバイルＰＣ等の端末を利用して外出先からでも行き先を閲覧することができる。
【０１２９】
また、外出先での行き先情報を常に知られているという状態は、被管理者にとって心理的な負担の増大が懸念されるところであるが、本実施形態では、被管理者が自ら設定する行き先情報の内容を最優先に表示する方式を採用しているので、行き先の設定を自ら行うことにより、正確な居場所をあえて伏せることも可能である。これは、被管理者の心理的負荷を軽減するとともに、行き先の設定を怠りがちであった被管理者に対しても行き先の設定を促す効果もあると考えられる。
【０１３０】
さらに、本実施形態における入力情報内容確認部１１８を備えることにより、被管理者がオフを取っている場合に、被管理者の私的な時間帯における位置情報の把握を抑止することができる。
【０１３１】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３２】
例えば、上述した実施形態においては、行き先情報管理装置１００に対して、被管理者の行き先設定のための入力を行う場合について説明したが、既存のスケジュール管理システムがあれば、被管理者の行き先情報については、その情報源として既存のスケジュール管理システムから取得する場合であってもよい。この場合は、既存のスケジュール管理システムに被管理者の行き先に関する情報が記載されていれば、その情報を表示する行き先情報として設定することとなる。
【図面の簡単な説明】
【０１３３】
【図１】本発明の一実施形態に係る行き先情報管理システムの構成を示す説明図である。
【図２】同実施形態に係る行き先情報管理装置の機能構成を示すブロック図である。
【図３】同実施形態に係る行き先情報の記憶形式の一例を示す説明図である。
【図４】同実施形態に係る行き先情報の記憶形式の一例を示す説明図である。
【図５】同実施形態に係る表示情報の記憶形式の一例を示す説明図である。
【図６】同実施形態に係る行き先情報設定部の機能構成を示すブロック図である。
【図７】同実施形態に係る行き先情報更新部の機能構成を示すブロック図である。
【図８】同実施形態に係る表示情報生成部の機能構成を示すブロック図である。
【図９】同実施形態に係る行き先情報管理装置のハードウェア構成を示すブロック図である。
【図１０】同実施形態に係る行き先情報設定処理の流れを示すフローチャートである。
【図１１】同実施形態に係る行き先情報更新処理の流れを示すフローチャートである。
【図１２】同実施形態に係る表示情報生成処理の流れを示すフローチャートである。
【符号の説明】
【０１３４】
１    行き先情報管理システム
１０    社内ＬＡＮ
１１    社内網
１３    プレゼンスサーバ
１５    アクセスポイント
２１    インターネット
２３    位置情報サーバ
３１    携帯電話網
５１    固定端末
５３    携帯端末
５５    携帯端末
１００    行き先情報管理装置
１１０    行き先情報設定部
１２１    行き先情報記憶部
１２３    表示情報記憶部
１２５    利用者管理情報記憶部
１２７    端末識別情報記憶部
１３０    行き先情報更新部
１４０    表示情報生成部
【図１】
2009140006.tif 000003
【図２】
2009140006.tif 000004
【図３】
2009140006.tif 000005
【図４】
2009140006.tif 000006
【図５】
2009140006.tif 000007
【図６】
2009140006.tif 000008
【図７】
2009140006.tif 000009
【図８】
2009140006.tif 000010
【図９】
2009140006.tif 000011
【図１０】
2009140006.tif 000012
【図１１】
2009140006.tif 000013
【図１２】
2009140006.tif 000014